(57)【要約】【課題】堅固な構造で安定して物品を運搬できる段ボール製パレットを提供する。【解決手段】両面のデッキボード１，２間に複数のブロック３を縦横に間隔をおいて配置し、デッキボード１，２とブロック３とを固着した段ボール製パレットにおいて、前記ブロック３として、帯状板を角筒状に折り曲げた外枠材８と、貫窓１８を有する帯状板を両端から巻き込んだ中枠材９と、帯状板を多重に折り重ねた内詰材１０とから成り、外枠材８に中枠材９を貫窓１８が開口するように挿入し、その貫窓１８を介して中枠材９に内詰材１０を差し込み、外枠材８及び中枠材９から内詰材１０を突出させたものを使用し、内詰材１０の突出部をデッキボード１，２に形成した差込穴７に嵌合させる。ブロック３とデッキボード１，２とが一体化されて、荷役作業時にブロック３がデッキボード１，２に対してずれることがない。【選択図】図１
2006315740.tif 000002
【特許請求の範囲】
【請求項１】
両面のデッキボード１，２間に複数のブロック３を縦横に間隔をおいて配置し、デッキボード１，２とブロック３とを固着した段ボール製パレットにおいて、前記ブロック３として、帯状板を角筒状に折り曲げた外枠材８と、貫窓１８を有する帯状板を両端から巻き込んだ中枠材９と、帯状板を多重に折り重ねた内詰材１０とから成り、外枠材８に中枠材９を貫窓１８が開口するように挿入し、その貫窓１８を介して中枠材９に内詰材１０を差し込み、外枠材８及び中枠材９から内詰材１０を突出させたものを使用し、内詰材１０の突出部をデッキボード１，２に形成した差込穴７に嵌合させたことを特徴とする段ボール製パレット。
【請求項２】
請求項１に記載の段ボール製パレットにおいて、ブロック３では、外枠材８の上下の開放端面と中枠材９の２個の貫窓１８の向きが一致して、貫窓１８がブロック３の天面及び底面で開口するようにしたことを特徴とする段ボール製パレット。
【請求項３】
請求項１又は２に記載の段ボール製パレットにおいて、ブロック３では、内詰材１０と外枠材８の間に、中枠材９の貫窓１８の側枠部分を介して空間を設けたことを特徴とする段ボール製パレット。
【請求項４】
請求項１乃至３のいずれかに記載の段ボール製パレットにおいて、デッキボード１，２に切込を入れて各ブロック３に対応する位置に折曲片６を設け、この折曲片６をブロック３の内側に折り曲げてデッキボード１，２に前記差込穴７を形成し、折曲片６が中枠材９と内詰材１０との間に挟み込まれるようにしたことを特徴とする段ボール製パレット。
【請求項５】
請求項１乃至４のいずれかに記載の段ボール製パレットにおいて、デッキボード１，２を複数枚積層して貼り合わせ、ブロック３に接するデッキボード１，２の差込穴７を、重なり合うデッキボード１，２で塞ぐことにより、内詰材１０を差込穴７から抜け止めしたことを特徴とする段ボール製パレット。
【請求項６】
請求項１乃至５のいずれかに記載の段ボール製パレットにおいて、物品を載置する上層のデッキボード１の周囲に端受板４を設け、この端受板４を起立させたことを特徴とする段ボール製パレット。
【発明の詳細な説明】
【技術分野】
【０００１】
この発明は、輸送する物品を載置し、フォークリフト等を用いた荷役作業に供する段ボール製パレットに関するものである。
【背景技術】
【０００２】
例えば、下記特許文献１には、両面のデッキボード間に複数のブロックを縦横に間隔をおいて配置し、デッキボードとブロックとを固着した段ボール製パレットにおいて、前記ブロックとして、帯状の段ボール板を折り重ねた積層体を箱体に収納したものを使用し、この箱体をデッキボードに接着したものが記載されている。
【０００３】
【特許文献１】登録実用新案第３０７１０２８号公報
【発明の開示】
【発明が解決しようとする課題】
【０００４】
しかしながら、上記のような段ボール製パレットでは、荷役作業時に、フォークリフトの爪等がブロックに衝突すると、ブロックがデッキボードに対してずれることがあり、物品が不安定になるおそれがあった。
【０００５】
そこで、この発明は、堅固な構造で安定して物品を運搬できる段ボール製パレットを提供することを課題とする。
【課題を解決するための手段】
【０００６】
上記課題を解決するため、この発明は、両面のデッキボード間に複数のブロックを縦横に間隔をおいて配置し、デッキボードとブロックとを固着した段ボール製パレットにおいて、前記ブロックとして、帯状板を角筒状に折り曲げた外枠材と、貫窓を有する帯状板を両端から巻き込んだ中枠材と、帯状板を多重に折り重ねた内詰材とから成り、外枠材に中枠材を貫窓が開口するように挿入し、その貫窓を介して中枠材に内詰材を差し込み、外枠材及び中枠材から内詰材を突出させたものを使用し、内詰材の突出部をデッキボードに形成した差込穴に嵌合させたのである。
【０００７】
また、前記パレットにおいて、ブロックでは、外枠材の上下の開放端面と中枠材の２個の貫窓の向きが一致して、貫窓がブロックの天面及び底面で開口するようにし、内詰材を上下いずれの方向からも差し込めるようにして、組立性を向上させたのである。
【０００８】
さらに、前記パレットにおいて、ブロックでは、内詰材と外枠材の間に、中枠材の貫窓の側枠部分を介して空間を設け、緩衝性を向上させたのである。
【０００９】
また、前記パレットにおいて、デッキボードに切込を入れて各ブロックに対応する位置に折曲片を設け、この折曲片をブロックの内側に折り曲げてデッキボードに前記差込穴を形成し、折曲片が中枠材と内詰材との間に挟み込まれるようにしたのである。
【００１０】
また、前記パレットにおいて、デッキボードを複数枚積層して貼り合わせ、ブロックに接するデッキボードの差込穴を、重なり合うデッキボードで塞ぐことにより、内詰材を差込穴から抜け止めしたのである。
【００１１】
さらに、前記パレットにおいて、物品を載置する上層のデッキボードの周囲に端受板を設け、この端受板を起立させて、デッキボードの剛性を向上させたのである。
【発明の効果】
【００１２】
このような段ボール製パレットでは、ブロックの外枠材及び中枠材から突出する内詰材がデッキボードの差込穴に嵌合し、また、デッキボードの折曲片を中枠材と内詰材との間に挟み込んでいるので、ブロックとデッキボードとが一体化され、荷役作業時にブロックがデッキボードに対してずれることがなく、堅固な構造となり、物品を安定して運搬することができる。
【発明を実施するための最良の形態】
【００１３】
以下、この発明の実施形態を添付図面に基づいて説明する。
【００１４】
この段ボール製パレットは、図１及び図２に示すように、上側３枚のデッキボード１と下側２枚のデッキボード２の間に、複数のブロック３を縦横に間隔をおいて配置し、デッキボード１，２とブロック３とを固着すると共に、積層したデッキボード１，２のそれぞれを貼り合わせた構成とされている。
【００１５】
上側のデッキボード１のうち、物品を載せる上層のデッキボード１は、周囲に端受板４を設け、一対の端受板４に取手穴５を設けたものとされ、中層のデッキボード１は、打抜穴や切込がなく、ブロック３に接する下層のデッキボード１は、各ブロック３に対応する位置に変形Ｈ字形の切込を入れて一対の先細りテーパ状の折曲片６を設け、その折り曲げに伴い差込穴７を形成したものとされている。
【００１６】
下側のデッキボード２のうち、ブロック３に接する上層のデッキボード２は、ブロック３を避けるように打抜穴２ａを設け、各ブロック３に対応する位置にＨ字状の切込を入れて一対の折曲片６を設け、その折り曲げに伴い差込穴７を形成したものとされ、地面に接する下層のデッキボード２は、上層のデッキボード２の打抜穴２ａに一致する打抜穴２ａを設けたものとされている。
【００１７】
ブロック３は、図３及び図４に示すように、各１個の外枠材８及び中枠材９と、４個の内詰材１０とから構成される。外枠材８は、帯状板を二重に巻回して貼り合わせ、四角筒状としたものであり、中枠材９及び内詰材１０は、それぞれ図５（ａ），（ｂ）に示す帯状板のブランクから形成される。
【００１８】
図５（ａ）に示す中枠材９のブランクでは、基板１１の両側に外側板１２、巻込板１３乃至１５、内側板１６及び重合板１７が順次連設され、内側板１６と重合板１７の境界は半切罫線とされている。基板１１には貫窓１８が設けられ、巻込板１３乃至１５には連続的に貫窓１８が設けられている。
【００１９】
図５（ｂ）に示す内詰材１０のブランクでは、基板１９の両側に外側板２０、頂板２１及び内側板２２が順次連設され、一方の内側板２２には半切罫線を介して重合板２３が連設されている。外側板２０には切込によりロック片２４が設けられ、内側板２２及び重合板２３には切欠部２５が形成されている。
【００２０】
上記ブランクから中枠材９を組み立てるには、図３に示すように、基板１１から両側の外側板１２を起立させ、巻込板１３乃至１５を巻き込むように折り曲げて、巻込板１４同士を突き合わせると共に、重合板１７を折り返して、外側板１２の内側に内側板１６及び重合板１７を順次重ね合わせる。このとき、内側板１６及び重合板１７の突起が貫窓１８の端縁に係合し、形状が安定する。
【００２１】
また、内詰材１０を組み立てるには、基板１９から両側の外側板２０を同方向へ折り曲げ、外側板２０から頂板２１及び内側板２２を巻き込むように折り曲げて、外側板２０の内側に内側板２２を重ね合わせると共に、重合板２３を折り返して、２枚の内側板２２の間に挟み込み、ロック片２４を切欠部２５に押し込んで保形する。
【００２２】
このように組み立てた中枠材９は、図４に示すように、外枠材８に天面及び底面で貫窓１８が開口するように挿入する。そして、貫窓１８を介して中枠材９に４個の内詰材１０を２個ずつ上下から差し込むと、外枠材８及び中枠材９から内詰材１０が上下に突出する状態となる。なお、内詰材１０は、中枠材９に予め差し込んでおくのではなく、デッキボード１，２にブロック３を取り付ける際に中枠材９に差し込む。
【００２３】
上記各部材を使用して、図１に示す形態にパレットを組み立てるには、図６及び図７に示すように、差込穴７を有するデッキボード１，２の間にブロック３を挟んで接着し、折曲片６をブロック３の内側に折り曲げ、デッキボード１，２の差込穴７及び貫窓１８を介して、４個の内詰材１０を２個ずつ上下から中枠材９に差し込み、折曲片６が中枠材９と内詰材１０との間に挟み込まれるようにする。
【００２４】
このとき、折曲片６は、先細りテーパ状となっていることから、中枠材９と内詰材１０との間に容易に差し込むことができ、また、差込穴７の両側縁がＶ字状に張り出した形状となって内詰材１０を押圧するので、内詰材１０は脱落しないように仮保持される。
【００２５】
そして、各層のデッキボード１、２をそれぞれ順次重ねて貼り合わせると、内詰材１０が差込穴７から抜け止めされて、図１に示すように、四方差しの段ボール製パレットの組み立てが完了する。
【００２６】
このような段ボール製パレットでは、ブロック３の外枠材８及び中枠材９から突出する内詰材１０がデッキボード１，２の差込穴７に嵌合しており、また、デッキボード１，２の折曲片６を中枠材９と内詰材１０との間に挟み込んでいるので、ブロック３とデッキボード１，２とが一体化され、荷役作業時にブロック３がデッキボード１，２に対してずれることがなく、堅固な構造となり、物品を安定して運搬することができる。
【００２７】
また、図１に示すように、上層のデッキボード１の周囲に設けた端受板４を起立させると、荷崩れが防止されると共に、デッキボード１の捩じり剛性も向上し、偏った荷重が作用しても、変形しにくくなる。
【００２８】
また、図７に示すように、ブロック３において、内詰材１０と外枠材８の間に中枠材９の貫窓１８の側枠部分が介在して空間ができるので、落下時等における衝撃を吸収することができ、物品の保護性が向上する。
【００２９】
そのほか、このパレットは、紙管等の異種材料の部材を用いることなく、全ての部材が段ボールシートを打ち抜いて形成されているので、少数の工程で容易に製造でき、製造コストを抑制することができる。
【図面の簡単な説明】
【００３０】
【図１】この発明に係る段ボール製パレットの組立状態を示す斜視図
【図２】同上のパレットの分解斜視図
【図３】同上のブロックの分解斜視図
【図４】同上のブロックの組立状態を示す斜視図
【図５】（ａ）中枠材のブランクを示す図、（ｂ）内詰材のブランクを示す図
【図６】ブロック取付部の縦断側面図
【図７】ブロック取付部の縦断正面図
【符号の説明】
【００３１】
１，２  デッキボード
２ａ  打抜穴
３  ブロック
４  端受板
５  取手穴
６  折曲片
７  差込穴
８  外枠材
９  中枠材
１０  内詰材
１１  基板
１２  外側板
１３，１４，１５  巻込板
１６  内側板
１７  重合板
１８  貫窓
１９  基板
２０  外側板
２１  頂板
２２  内側板
２３  重合板
２４  ロック片
２５  切欠部
【図１】
2006315740.tif 000003
【図２】
2006315740.tif 000004
【図３】
2006315740.tif 000005
【図４】
2006315740.tif 000006
【図５】
2006315740.tif 000007
【図６】
2006315740.tif 000008
【図７】
2006315740.tif 000009